(57)【特許請求の範囲】
【請求項１】
テンプル部に梳かし部を備え、
前記梳かし部は、底面と複数の突起を有し、
前記底面は、前記テンプル部の上面より低く形成され、
複数の前記突起は、前記底面に、間隔を空けて上方に向かって延出するように設けられ、
前記梳かし部は、前記テンプル部の長さの半分以上に設けられている
ことを特徴とする眼鏡。
【請求項２】
テンプル部に梳かし部を備え、
前記梳かし部は、底面と複数の突起を有し、
前記底面は、前記テンプル部の上面より低く形成され、
複数の前記突起は、前記底面に、間隔を空けて上方に向かって延出するように設けられ、
前記突起の先端を覆うカバー部を備えている
ことを特徴とする眼鏡。
【請求項３】
請求項１又は２に記載の眼鏡であって、
複数の前記突起は、前記底面に少なくとも１列設けられている
ことを特徴とする眼鏡。
【請求項４】
請求項１〜３のいずれか一項に記載の眼鏡であって、
前記テンプル部のヨロイ部側に持ち手部を備えている
ことを特徴とする眼鏡。
【請求項５】
請求項１〜４のいずれか一項に記載の眼鏡であって、
前記テンプル部の側面に滑り止め部を備えている
ことを特徴とする眼鏡。
【請求項６】
請求項４に記載の眼鏡であって、
前記底面は、前記ヨロイ部側から先セル部側に向かって下方に傾斜している
ことを特徴とする眼鏡。
【請求項７】
請求項４に記載の眼鏡であって、
前記底面は、段差を備え、
前記段差は、前記ヨロイ部側が先セル部側より高くなっている
ことを特徴とする眼鏡。
【請求項８】
請求項４に記載の眼鏡であって、
前記持ち手部は、前記梳かし部と前記ヨロイ部側の間に設けられている
ことを特徴とする眼鏡。
【請求項９】
請求項８に記載の眼鏡であって、
前記持ち手部は、上下面に窪み部を備えている
ことを特徴とする眼鏡。
【請求項１０】
請求項１〜９のいずれか一項に記載の眼鏡であって、
複数の前記突起は、先端の高さ位置が異なり波形状をしている
ことを特徴とする眼鏡。
【請求項１１】
請求項１〜１０のいずれか一項に記載の眼鏡であって、
前記底面は、平面状または上り下りを繰り返す傾斜面を備えている
ことを特徴とする眼鏡。
【発明の詳細な説明】
【技術分野】
【０００１】
本発明は、眼鏡に関する。
【背景技術】
【０００２】
外出先で乱れた髪を手早く整えるために、胸ポケット等に櫛を入れておく場合がある。また、胸ポケット等に眼鏡のつるをかけて持ち歩く場合もあるが、櫛と眼鏡の両方を胸ポケット等に収納しておくと嵩張ってしまう。
【０００３】
特許文献１には、先セルに櫛を備えた眼鏡が記載されている。
【先行技術文献】
【特許文献】
【０００４】
【特許文献１】実公昭４８−１２５０８号公報
【発明の概要】
【発明が解決しようとする課題】
【０００５】
特許文献１の眼鏡は、眼鏡のツルの端部近くに下向きに櫛型の切込みが付けられている。そのため、眼鏡を掛ける際にツルが側頭部および耳の裏に引っ掛かってしまう。また、櫛型の切り込みの幅が極めて狭いため髪を梳かしにくく、使い勝手が良いものではない。
【０００６】
本発明の目的は、持ち運びに便利で、使い勝手のよい櫛を備えた眼鏡を提供することにある。
【課題を解決するための手段】
【０００７】
本発明は、上記課題の少なくとも１つを解決するものであるが、その例を挙げるならば、次の通りである。すなわち、本発明の一態様である眼鏡は、テンプル部に梳かし部を備え、前記梳かし部は、底面と複数の突起を有し、前記底面は、前記テンプル部の上面より低く形成され、複数の前記突起は、前記底面に、間隔を空けて上方に向かって延出するように設けられていることを特徴とする。
【０００８】
前記梳かし部は、前記テンプル部の長さの半分以上に設けられていてもよい。
【０００９】
複数の前記突起は、前記底面に少なくとも１列設けられていてもよい。
【００１０】
前記突起の先端を覆うカバー部を備えていてもよい。
【００１１】
前記テンプル部のヨロイ部側に持ち手部を備えていてもよい。
【００１２】
前記テンプル部の側面に滑り止め部を備えていてもよい。
【００１３】
前記底面は、前記ヨロイ部側から先セル部側に向かって下方に傾斜していてもよい。
【００１４】
前記底面は、段差を備え、前記段差は、前記ヨロイ部側が先セル部側より高くなっていてもよい。
【００１５】
前記持ち手部は、前記梳かし部と前記ヨロイ部側の間に設けられていてもよい。
【００１６】
前記持ち手部は、上下面に窪み部を備えていてもよい。
【００１７】
複数の前記突起は、先端の高さ位置が異なり波形状をしていてもよい。
【００１８】
前記底面は、平面状または上り下りを繰り返す傾斜面を備えていてもよい。
【発明の効果】
【００１９】
本発明によれば、持ち運びに便利で、使い勝手のよい櫛を備えた眼鏡を提供することができる。
【図面の簡単な説明】
【００２０】
【図１】第１実施形態に係る眼鏡の概略構成例を示す図である。
【図２】第１実施形態に係る眼鏡の概略構成例を示す図である。
【図３】第１実施形態に係る眼鏡の概略構成例を示す図である。
【図４】第１実施形態に係る眼鏡の概略構成例を示す図である。
【図５】第１実施形態に係る眼鏡の概略構成例を示す図である。
【図６】第１実施形態の変形例に係る眼鏡の概略構成例を示す図である。
【図７】第１実施形態の変形例に係る眼鏡の概略構成例を示す図である。
【図８】第１実施形態の変形例に係る眼鏡の概略構成例を示す図である。
【図９】第１実施形態の変形例に係る眼鏡の概略構成例を示す図である。
【図１０】第１実施形態の変形例に係る眼鏡の概略構成例を示す図である。
【図１１】第１実施形態の変形例に係る眼鏡の概略構成例を示す図である。
【図１２】第１実施形態の変形例に係る眼鏡の概略構成例を示す図である。
【図１３】第２実施形態に係る眼鏡の概略構成例を示す図である。
【図１４】第３実施形態に係る眼鏡の概略構成例を示す図である。
【発明を実施するための形態】
【００２１】
本発明の実施形態の例について、以下、図に基づいて説明する。
【００２２】
＜第１実施形態＞
図１〜５は、第１実施形態に係る眼鏡１の概略構成例を示す図である。図１は、本実施形態に係る眼鏡１の正面図、図２は、左側面図、図３は、右側面図、図４は、平面図、図５は底面図である。眼鏡１をかけたときに、頭頂部側になる方を上側、鼻側になる方を下側として説明する。
【００２３】
眼鏡１は、一般的な眼鏡と同様に、左右の眼鏡レンズを固定する左右のリムＡ、Ｂと、左右のリムＡ、Ｂの鼻側部分を連結するブリッジＣと、ブリッジＣの下方に設けられたパッドＤと、左右のリムＡ、Ｂの耳側部分のヨロイ部３と、ヒンジを介してヨロイ部３と繋がり先セル部４を備えるテンプル部２と、を備える。
【００２４】
テンプル部２は、上下方向に幅広に形成され、ヨロイ部３側と反対側に耳にかける先セル部４を有している。一方のテンプル部２は、梳かし部１０を備えている。梳かし部１０は、頭髪を整えるために用いられる部分である。本実施形態では、正面向かって右側のテンプル部２が梳かし部１０を備えている。
【００２５】
梳かし部１０は、テンプル部２のヨロイ部３側から先セル部４側までの間に渡って設けられており、複数の突起１１を有している。複数の突起１１は、梳かし部１０の櫛歯として機能する。梳かし部１０は、テンプル部２の上面より低く形成された平面状の底面１２を有し、複数の突起１１は、底面１２の上に設けられている。複数の突起１１は、上側に向かって延出し、テンプル部２の上側は開放されるように形成されている。複数の突起１１は、梳かし方向と直交する方向（テンプル部２の長さ方向）に沿って一定の間隔を空けて一列に形成されている。一定の間隔は、好ましくは等間隔に形成される。複数の突起１１の長さは、先端がテンプル部２の上面と同じ、又は低くなるように形成される。
【００２６】
突起１１は、薄板状で、側面が円弧形状をしている。突起１１は、下側がテンプル部２の厚さと同じ幅を有し、上側に行くにしたがって狭くなるように形成される。突起の先端は略三角形状をしているが、丸い形状に形成されてもよい。突起１１の幅は、下側が２ｍｍ〜６ｍｍ、好ましくは４ｍｍ、上側の幅が０．３ｍｍ〜１ｍｍ、好ましくは０．５ｍｍ、厚さが０．５ｍｍ〜１．５ｍｍ、好ましくは１ｍｍに形成される。
【００２７】
梳かし部１０は、テンプル部２のヨロイ部３側からテンプル部２の長さの約半分以上を占めるように形成される。
【００２８】
本実施形態では、梳かし部１０は、例えば、長さ方向の長さＬ１が５０ｍｍ〜７０ｍｍ、好ましくは６０ｍｍ、高さ方向の長さＬ２が１０ｍｍ〜２５ｍｍ、好ましくは２０ｍｍ、底面１２の高さＬ３が４ｍｍ〜１０ｍｍ、好ましくは７ｍｍ、突起１１の長さＬ４が５ｍｍ〜１５ｍｍ、好ましくは１３ｍｍに形成される。
【００２９】
眼鏡１の使用例について説明する。ここでは、眼鏡１をかけたユーザーの視点で説明するので、眼鏡１の左側のテンプル部２に梳かし部１０が設けられている。眼鏡１の梳かし部１０を頭髪を整えるのに使用する際は、かけていた眼鏡１を外し、眼鏡１の上下をひっくり返す。それから、左側のテンプル部２のヨロイ部３側近傍（図３の破線Ｒで示す辺り）を、右手で、親指が外側に、人差し指と中指が内側に来るように、底面１２側から摘み、梳かし部１０で頭髪を梳かして整える。本実施形態では、左側のテンプル部２に梳かし部１０が設けられているため、右手で摘むと一般的な櫛と同じように使用でき使用し易いが、もちろん左手で使用することもできる。また、右側のテンプル部２を折り畳んだ状態にして使用することもできるため、右側のテンプル部２が物に引っ掛かったり、ぶつかったりすることなく簡便に使用することができる。
【００３０】
以上、本実施形態について説明した。本実施形態によれば、持ち運びに便利で、使い勝手のよい櫛を備えた眼鏡１を提供することができる。本実施形態の梳かし部１０は、テンプル部２の長さ半分以上に設けられているため、髪を整える際に、広範囲を一度に容易に整えることができる。また、梳かし部１０がテンプル部２の上側に設けられ、複数の突起１１が上方を向いているため、眼鏡１をかける際に梳かし部１０が側頭部や耳の裏側に引っ掛かることなく眼鏡１をスムーズにかけることができる。
【００３１】
本実施形態に係る眼鏡１を携行すれば、眼鏡と櫛の両方を携行しなくてもよく、櫛を携行し忘れることもなく便利である。また、胸ポケット等に収納する場合も嵩張ることなく携行することができる。
【００３２】
なお、本実施形態では、一方のテンプル部２に梳かし部１０を設けたが、両方のテンプル部２に梳かし部１０を設けてもよい。
【００３３】
＜変形例＞
図６〜１２は、第１実施形態の複数の変形例を示している。各変形例では、それぞれ、梳かし部１０の構成が異なっている。
【００３４】
図６の変形例では、底面１２はヨロイ部３側から先セル部４側に向かって下がるように傾斜しており、複数の突起１１の先端の高さ位置は揃っている。底面１２が傾斜して形成されることで、テンプル部２のヨロイ部３側の下部に持ち手部１３が形成される。
【００３５】
図７の変形例では、底面１２は、段状に形成され、ヨロイ部３側では先セル部４側より高く形成されている。複数の突起１１の先端の高さ位置は揃っている。底面１２に段差を設けることで、底面１２のヨロイ部３側の下部に持ち手部１３が形成される。
【００３６】
図８の変形例では、図６および図７に比べて、ヨロイ部３側の梳かし部１０の端部が後ろ側（先セル部４側）から始まるように形成されており、梳かし部１０の幅が狭くなっている。梳かし部１０のヨロイ部３側の端部が後ろ側に移動したことで、ヨロイ部３側に持ち手部１３が形成される。
【００３７】
図６〜図８のように梳かし部１０を構成することで、テンプル部２のヨロイ部３側において突起１１の占める領域が小さくなり、指で摘み易い領域を設けることができる（持ち手部１３）。
【００３８】
図９の変形例では、図７のテンプル部２の持ち手部１３部分に、シリコンやゴム等の滑り止め部１４が設けられている。
【００３９】
図１０の変形例では、図８のテンプル部２の持ち手部１３の上下面を半円状に窪ませて窪み部１５を設けている。
【００４０】
図９および図１０のように滑り止め部１４や窪み部１５を設けると、テンプル部２を摘んだときに指が滑りにくくなり頭髪を容易に整えることができる。
【００４１】
図１１の変形例では、梳かし部１０の突起１１先端部が波形状に連続的に変化するように突起１１の長さを異ならせている。なお、波形の形状や周期パターンは、図１１に示した例に限らない。
【００４２】
図１２の変形例では、底面１２が上り下りを繰り返す傾斜面を有している。複数の突起１１の上端の高さ位置は揃っており、底面１２側の下端は位置が異なっている。
【００４３】
図１１及び図１２のように突起１１の長さやテンプル部２の形状を変えることで、頭髪を簡易に整えることができるだけでなく、眼鏡をかけているときの見た目のデザイン性をアピールすることができる。
【００４４】
＜第２実施形態＞
本実施形態では、梳かし部１０はカバー部２０を備えている。カバー部２０以外は、第１実施形態と同様であるため、説明を省略する。カバー部２０は、梳かし部１０の突起１１をカバーし、眼鏡１を掛けていて使用しないときに指等に突起が当たらないようにするためのものである。
【００４５】
図１３は、第２実施形態に係る眼鏡１の概略構成例を示している。図１３ａは、カバー部２０が閉じられて梳かし部１０を覆っている状態を示す右側面図、図１３ｂは、カバー部２０が開かれて梳かし部１０が使用可能な状態を示す右側面図、図１３ｃは、カバー部２０が閉じられて梳かし部１０を覆っている状態を示す部分平面図である。
【００４６】
カバー部２０は、少なくとも梳かし部１０の先端（上面）を覆えばよい。本実施形態では、カバー部２０は、梳かし部１０の先端と両側面の一部を覆っている。
【００４７】
カバー部２０は、テンプル部２を挟む両側壁が略直角三角形状、上壁が略長方形状に形成されている。カバー部２０の上壁及び内側の側壁のヨロイ部３側の一部は、カバー部２０の開閉時にヨロイ部３及びリムＢにぶつからないよう外側の側壁よりも短く形成されている。
【００４８】
カバー部２０の外側の側壁は、ヨロイ部３側の角（斜辺と対辺に挟まれる角）付近がテンプル部２のヨロイ部３側に、テンプル部２の側面に直交する回転軸を介して回動可能に取り付けられる。取付方法は特に限定されないが、例えば、凹凸の嵌合やネジ等で回動可能に取り付けられる。
【００４９】
眼鏡１の使用例として、眼鏡１をかけて使用する場合は、カバー部２０を閉じて梳かし部１０を覆うようにしておく（図１３ａ、１３ｃ）。梳かし部１０がカバー部２０で覆われているので、突起１１の先端で指をつついたり、突起１１に髪が引っ掛かったりすることなく使用することができる。眼鏡１を櫛として使用する場合は、眼鏡１を外してから、カバー部２０を摘んで開くと櫛として使用することができる（図１３ｂ）。カバー部２０の先端で頭髪の分け目を作ることもでき便利に使用することができる。
【００５０】
＜第３実施形態＞
本実施形態では、梳かし部１０の突起１１ａは棒状で、複数列に配置されている。図１４は、第３実施形態に係る眼鏡１の概略構成例を示している。図１４ａは、眼鏡１の右側面図、図１４ｂは、眼鏡１の部分平面図である。
【００５１】
突起１１ａは、上側が丸みを帯びた棒状に形成され、第１実施形態の突起１１より間隔を空けて２列に配置され、いわゆるヘアブラシ状をしている。突起１１ａの間隔Ｓ１は、２ｍｍ〜６ｍｍ、好ましくは、２．５ｍｍに形成される。
【００５２】
棒状の突起１１ａを間隔を空けてヘアブラシの様に配置することにより、頭髪をふんわりと整えることができる。
【００５３】
本実施形態では突起１１ａを２列設けたが、３列以上であってもよい。
【００５４】
以上、本発明の実施形態を説明したが、上記に記載した実施形態は特許請求の範囲に係る発明を限定するものではない。各実施形態は、それぞれの特徴を組み合わせることができる。上述のいずれかの眼鏡が、他の実施形態の特徴を併せ持つものであってもよい。また、実施形態の中で説明した特徴の組合せのすべてが発明の課題を解決するための手段に必須であるとは限らない点に留意すべきである。
【００５５】
また、本発明の眼鏡にはサングラスも含まれる。また、本発明は、眼鏡だけでなく、眼鏡フレーム、テンプルなど様々な態様で提供することができる。
【符号の説明】
【００５６】
１：眼鏡
２：テンプル部
３：ヨロイ部
４：先セル部
１０：梳かし部
１１，１１ａ：突起
１２：底面
１３：持ち手部
１４：滑り止め部
１５：窪み部
２０：カバー部
Ａ，Ｂ：リム
Ｃ：ブリッジ
Ｄ：パッド
【要約】      （修正有）【課題】持ち運びに便利で、使い勝手のよい櫛を備えた眼鏡を提供する。【解決手段】テンプル部２に梳かし部１０を備え、梳かし部１０は、底面１２と複数の突起１１を有し、底面１２は、テンプル部２の上面より低く形成され、複数の突起１１は、底面１２に、間隔を空けて上方に向かって延出するように設けられている。【選択図】図３【図１】
0006713180.tif 000002
【図２】
0006713180.tif 000003
【図３】
0006713180.tif 000004
【図４】
0006713180.tif 000005
【図５】
0006713180.tif 000006
【図６】
0006713180.tif 000007
【図７】
0006713180.tif 000008
【図８】
0006713180.tif 000009
【図９】
0006713180.tif 000010
【図１０】
0006713180.tif 000011
【図１１】
0006713180.tif 000012
【図１２】
0006713180.tif 000013
【図１３】
0006713180.tif 000014
【図１４】
0006713180.tif 000015